【手続補正書】
【提出日】平成24年9月3日(2012.9.3)
【手続補正１】
【補正対象書類名】特許請求の範囲
【補正対象項目名】全文
【補正方法】変更
【補正の内容】
【特許請求の範囲】
【請求項１】
１ミリ秒未満で少なくとも２５％の光透過率となる液晶を開状態となるまで回転させるステップと、
前記液晶が最大光透過量のポイントまで回転するまで待つステップと、
最大光透過量のポイントで前記液晶の回転を停止させるステップと、
ある時間の間、最大光透過量のポイントに前記液晶を保持するステップとを備える、３Ｄ眼鏡で使用するための液晶シャッターを急速に開にするための方法。
【請求項２】
対応する第１および第２液晶シャッターを有する一対の液晶シャッターと、
制御回路とを備え、この制御回路は、
１ミリ秒未満で最大光透過量のポイントまで前記第１液晶シャッターを開にし、
第１時間の間、最大光透過量のポイントに前記第１液晶シャッターを保持するよう、キャッチ電圧を印加し、
次に前記第１液晶シャッターを閉じ、
１ミリ秒未満で最大光透過量のポイントまで前記第２液晶シャッターを開にし、
第２時間の間、最大光透過量のポイントに前記第２液晶シャッターを保持するよう、キャッチ電圧を印加し、
次に前記第２液晶シャッターを閉じるようになっており、
前記第１時間は、ユーザーの第１の眼に対する画像の表示に対応し、前記第２時間は、ユーザーの第２の眼に対する画像の表示に対応する、３Ｄ眼鏡のユーザーに三次元ビデオ画像を提供するためのシステム。
【請求項３】
第１液晶シャッターを有する第１レンズおよび第２液晶シャッターを有する第２レンズを備える一対の眼鏡を備え、前記液晶シャッターの各々は、液晶を有すると共に１ミリ秒未満の開時間を有し、前記第１液晶シャッターと前記第２液晶シャッターとを交互に開にする制御回路を備え、
前記制御回路が前記シャッターを閉じるまで、液晶の配向は、最大光透過量のポイントに保持される、三次元ビデオ画像を提供するためのシステム。
【請求項４】
１ミリ秒未満で第１液晶シャッターを開にするステップと、
第１時間の間、最大光透過量のポイントに前記第１液晶シャッターを保持するステップと、
前記第１液晶シャッターを閉じ、１ミリ秒未満で第２液晶シャッターを開にするステップと、
第２時間の間、最大光透過量のポイントに前記第２液晶シャッターを保持するステップとを備え、
前記第１時間は、ユーザーの第１の眼に対する画像の表示に対応し、前記第２時間は、ユーザーの第２の眼に対する画像の表示に対応する、三次元ビデオ画像を提供するための方法。
【請求項５】
液晶を開状態まで回転させ、前記液晶を１ミリ秒未満で少なくとも２５％の光透過率にするステップと、
前記液晶が最大光透過量のポイントまで回転するまで待つステップと、
最大光ポイントで前記液晶の回転を停止させるステップと、
ある時間の間、最大光透過量のポイントに前記液晶を保持するステップとを備える、３Ｄ眼鏡のユーザーに三次元ビデオ画像を提供するための、少なくとも１つの液晶シャッターを有する３Ｄ眼鏡用ハウジング内の、マシンで読み取り可能なメディアにインストールされたコンピュータプログラム。
【請求項６】
１ミリ秒未満で第１液晶シャッターを開にするステップと、
第１時間の間、最大光透過量のポイントに前記第１液晶シャッターを保持するステップと、
前記第１液晶シャッターを閉にし、１ミリ秒未満で第２液晶シャッターを開にするステップと、
第２時間の間、最大光透過量のポイントに前記第２液晶シャッターを保持するステップとを備え、
前記第１時間は、ユーザーの第１の眼に対する画像の表示に対応し、前記第２時間は、ユーザーの第２の眼に対する画像の表示に対応する、第１および第２液晶シャッターを有する３Ｄ眼鏡のユーザーに三次元ビデオ画像を提供するための、マシンで読み取り可能なメディアにインストールされたコンピュータプログラム。
【請求項７】
液晶が１ミリ秒未満で少なくとも３２％の光透過率となるよう前記液晶に電圧を印加することにより液晶を回転させるための手段と、
前記液晶が最大光透過量のポイントまで回転するまで待つための手段と、
最大光ポイントで前記液晶の回転を停止させるための手段と、
ある時間の間、最大光透過量のポイントに前記液晶を保持するための手段とを備える、液晶シャッターを急速に開にするためのシステム。
【請求項８】
１ミリ秒未満で第１液晶シャッターを開にするための手段と、
第１時間の間、最大光透過量のポイントに前記第１液晶シャッターを保持するための手段と、
前記第１液晶シャッターを閉じ、１ミリ秒未満で第２液晶シャッターを開にするための手段と、
第２時間の間、最大光透過量のポイントに前記第２液晶シャッターを保持するための手段とを備え、
前記第１時間は、ビューワーの第１の眼に対する画像の表示に対応し、前記第２時間は、ビューワーの第２の眼に対する画像の表示に対応する、第１および第２液晶シャッターを有する３Ｄ眼鏡のユーザーに三次元ビデオ画像を提供するためのシステム。
【請求項９】
液晶を開状態まで回転させるステップと、
前記液晶が最大光透過量のポイントまで回転するまで待つステップと、
最大光ポイントで前記液晶の回転を停止させるステップと、
ある時間の間、最大光透過量のポイントに前記液晶を保持するステップとを備え、前記液晶は、光学的に厚い液晶を有する、３Ｄ眼鏡で使用するための液晶シャッターを急速に開にするための方法。
【請求項１０】
暗号化された同期信号を送信するステップと、
前記暗号化された同期信号を遠隔地で受信するステップと、
前記暗号化され、受信された同期信号を有効と判断した後に、１ミリ秒未満で第１液晶シャッターを開にするステップと、
第１時間の間、最大光透過量のポイントに前記第１液晶シャッターを保持するステップと、
前記第１液晶シャッターを閉じ、次に１ミリ秒未満で第２液晶シャッターを開にするステップと、
第２時間の間、最大光透過量のポイントに前記第２液晶シャッターを保持するステップと、
前記液晶シャッターを開閉するためのバッテリー電力を供給するステップと、
前記バッテリー電力の電力レベルを検出するステップと、
ビューアーが見ることのできるレートで前記液晶シャッターを開閉することにより、前記バッテリー電力の検出された電力レベルを表示するステップとを備え、前記第１時間は、前記ビューアーの第１の眼に対する画像の表示に対応し、前記第２時間は、前記ビューアーの第２の眼に対する画像の表示に対応し、
前記液晶シャッターは、キャッチ電圧により最大光透過量のポイントに保持される、第１および第２液晶シャッターを有する３Ｄ眼鏡のユーザーに対し、三次元ビデオ画像を提供するための方法。
【請求項１１】
第１液晶シャッターを有する第１レンズと、第２液晶シャッターを有する第２レンズとを備える一対の眼鏡を備え、前記液晶シャッターは、液晶を有すると共に、１ミリ秒未満の開時間を有し、
前記第１液晶シャッターと前記第２液晶シャッターとを交互に開にする制御回路を備え、
前記制御回路が前記シャッターを閉じるまで、前記液晶の配向は最大光透過量のポイントに保持され、
更に低バッテリーインジケータを備え、この低バッテリーインジケータは、
制御回路に作動的に結合されたバッテリーと、
前記バッテリー内に残存する電力量を測定できるセンサと、
前記対の眼鏡が所定の時間よりも長く作動するのに、前記バッテリー内に残存する電力量が充分であるかどうかを判断するようになっているコントローラと、
前記眼鏡が、前記所定の時間よりも長くは作動しない場合に、ビューアーに信号を送るためのインジケータとを含む、三次元ビデオ画像を提供するためのシステム。
【請求項１２】
第１液晶シャッターおよび第２液晶シャッターを備える一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
バッテリーに残存する電力量を検出するステップと、
前記対の三次元ビュー眼鏡が所定時間よりも長く作動するのに、前記バッテリー内に残存する前記電力量が充分であるかどうかを判断するステップと、
前記三次元ビュー眼鏡が前記所定の時間よりも長くは作動しない場合に、ビューアーに対して低バッテリー信号を表示するステップとを備える、三次元ビデオ画像を提供するための方法。
【請求項１３】
第１液晶シャッターおよび第２液晶シャッターを備える３Ｄ眼鏡のユーザーに対し三次元画像を提供するためのマシンで読み取り可能なメディアにインストールされたコンピュータプログラムであって、このコンピュータプログラムは、１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
バッテリーに残存する電力量を検出するステップと、
前記対の三次元ビュー眼鏡が所定時間よりも長く作動するのに、前記バッテリー内に残存する前記電力量が充分であるかどうかを判断するステップと、
前記三次元ビュー眼鏡が前記所定の時間よりも長くは作動しない場合に、ビューアーに対して低バッテリー信号を表示するステップとを備える、マシンで読み取り可能なメディアにインストールされたコンピュータプログラム。
【請求項１４】
１ミリ秒未満で前記第１液晶シャッターを開にする手段と、
第１時間の間、最大光透過量のポイントに前記第１液晶シャッターを保持する手段と、
前記第１液晶シャッターを閉にし、１ミリ秒未満で前記第２液晶シャッターを開にする手段と、
第２時間の間、最大光透過量のポイントに前記第２液晶シャッターを保持する手段とを備え、
前記第１時間は、ビューアーの第１の眼に対する画像の表示に対応し、前記第２時間は、前記ビューアーの第２の眼に対する画像の表示に対応し、
バッテリーに残存する電力量を検出する手段と、
前記対の三次元ビュー眼鏡が所定時間よりも長く作動するのに、前記バッテリー内に残存する前記電力量が充分であるかどうかを判断する手段と、
前記三次元ビュー眼鏡が前記所定の時間よりも長くは作動しない場合に、ビューアーに対して低バッテリー信号を表示する手段とを備える、第１液晶シャッターおよび第２液晶シャッターを備える３Ｄ眼鏡のユーザーに対し三次元画像を提供するためのシステム。
【請求項１５】
第１液晶シャッターを有する第１レンズおよび第２液晶シャッターを有する第２レンズを備える一対の三次元ビュー眼鏡と、
前記第１および第２液晶シャッターの作動を制御するための制御回路と、
前記制御回路に作動的に結合されたバッテリーと、
前記制御回路に作動的に結合された信号センサとを備え、前記制御回路は、前記信号センサによって検出される外部信号の数の関数として、前記一対の三次元ビュー眼鏡が所定の時間よりも長く作動するのに、バッテリー内に残存する電力量が充分であるかどうかを判断し、バッテリー内の電力量を表示するために前記第１、第２液晶シャッターを作動するようになっている、三次元ビデオ画像を提供するためのシステム。
【請求項１６】
第１液晶シャッターおよび第２液晶シャッターを備える一対の三次元ビュー眼鏡を設けるステップと、
前記三次元ビュー眼鏡に送信される外部信号の数を測定することにより、バッテリー内に残存する電力量を検出するステップと、
前記対の三次元ビュー眼鏡が所定の時間よりも長く作動するのに、前記バッテリー内に残存する電力量が充分であるかどうかを判断するステップと、
前記三次元ビュー眼鏡が前記所定の時間よりも長くは作動しない場合に、低バッテリー信号をビューアーに表示するステップとを備える、三次元ビデオ画像を提供するための方法。
【請求項１７】
三次元ビデオ画像を提供するよう、第１液晶シャッターおよび第２液晶シャッターを備える一対の三次元ビュー眼鏡を作動させる際に使用するためのメモリデバイス内に記憶されたコンピュータプログラムであって、このコンピュータプログラムは、
前記三次元ビュー眼鏡に送信される外部信号の数を判断することにより、バッテリー内に残存する電力量を検出するステップと、
前記対の三次元ビュー眼鏡が所定の時間よりも長く作動するのに、前記バッテリー内に残存する電力量が充分であるかどうかを判断するステップと、
前記三次元ビュー眼鏡が前記所定の時間よりも長くは作動しない場合に、低バッテリー信号をビューアーに表示するステップとを備える、コンピュータプログラム。
【請求項１８】
第１液晶シャッターおよび第２液晶シャッターを備える一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
バッテリーに残存する電力量を検出するステップと、
前記対の三次元ビュー眼鏡が所定時間よりも長く作動するのに、前記バッテリー内に残存する前記電力量が充分であるかどうかを判断するステップと、
前記三次元ビュー眼鏡が前記所定の時間よりも長くは作動しない場合に、ビューアーに対して低バッテリー信号を表示するステップとを備え、
前記三次元ビュー眼鏡が前記所定時間よりも長くは作動しない場合に、低バッテリー信号をビューアーに表示する前記ステップは、所定のレートで第１および第２液晶シャッターを開閉することを含み、
前記バッテリー内に残存する電力量を決定する前記ステップは、前記三次元ビュー眼鏡に送信される同期パルスの数を測定することを含む、３次元ビデオ画像を提供するための方法。
【請求項１９】
第１液晶シャッターを有する第１レンズおよび第２液晶シャッターを有する第２レンズを備える一対の眼鏡を備え、前記液晶シャッターの各々は、液晶を有すると共に１ミリ秒未満の開時間を有し、
更に前記第１液晶シャッターと前記第２液晶シャッターとを交互に開にする制御回路を備え、前記シャッターを閉じるまで液晶の配向は最大光透過量のポイントに保持され、
更に前記制御回路に作動的に結合された同期デバイスを備え、この同期デバイスは、
前記眼鏡のユーザーに表示される画像に対応する同期信号を検出するための信号受信機と、
送信される前記同期信号に応じ、前記画像が表示される時間の間、前記第１液晶シャッターまたは前記第２液晶シャッターを開にするために適合した制御回路を備える、三次元ビデオ画像を提供するためのシステム。
【請求項２０】
第１液晶シャッターおよび第２液晶シャッターを備える一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
前記ビューアーに表示される画像に対応する同期信号を送信するステップと、
前記同期信号を検出するステップと、
前記第１液晶シャッターまたは前記第２液晶シャッターをいつ開にするかを決定するために前記同期信号を使用するステップとを備える、三次元ビデオ画像を提供するための方法。
【請求項２１】
第１液晶シャッターを有する第１レンズおよび第２液晶シャッターを有する第２レンズを備える一対の眼鏡を備え、前記液晶シャッターの各々は、液晶を有すると共に１ミリ秒未満の開時間を有し、
更に前記第１液晶シャッターと前記第２液晶シャッターとを交互に開にする制御回路を備え、
前記シャッターを閉じるまで液晶の配向は最大光透過量のポイントに保持され、
更に前記制御回路に作動的に結合された同期デバイスを備え、この同期デバイスは、
前記対の眼鏡の前方に位置する反射デバイスと、
前記眼鏡のユーザーに表示される画像に対応する同期信号を前記ユーザーの眼鏡に向けて送る信号送信機と、
前記反射デバイスから反射される前記同期信号を検出するための信号受信機と、
前記画像が表示される時間の間、前記第１液晶シャッターまたは前記第２液晶シャッターを開にするために適合した制御回路とを備える、三次元ビデオ画像を提供するためのシステム。
【請求項２２】
第１液晶シャッターおよび第２液晶シャッターを備える３Ｄ眼鏡のユーザーに対し３次元ビデオ画像を提供するためのマシンで読み取り可能なメディアにインストールされたコンピュータプログラムであって、このコンピュータプログラムは、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
ビューアーに表示される画像に対応する前記同期信号を検出するステップと、
前記第１液晶シャッターまたは前記第２液晶シャッターをいつ開にするかを決定するために前記検出された同期信号を使用するステップとを備える、コンピュータプログラム。
【請求項２３】
３次元ビデオ画像を提供するためのシステムであって、このシステムは、
第１液晶シャッターおよび第２液晶シャッターを備える一対の３Ｄ眼鏡を備える手段と、
１ミリ秒未満で前記第１液晶シャッターを開にするための手段と、
第１時間の間、最大光透過量のポイントに前記第１液晶シャッターを保持するための手段と、
前記第１液晶シャッターを閉にし、１ミリ秒未満で前記第２液晶シャッターを開にするための手段と、
第２時間の間、最大光透過量のポイントに前記第２液晶シャッターを保持するための手段とを備え、
前記第１時間は、ビューアーの第１の眼に対する画像の表示に対応し、前記第２時間は、前記ビューアーの第２の眼に対する画像の表示に対応し、
ビューアーに表示される画像に対応する前記同期信号を検出するための手段と、
前記第１液晶シャッターまたは前記第２液晶シャッターをいつ開にするかを決定するために前記検出された同期信号を使用するための手段とを備える、システム。
【請求項２４】
第１液晶シャッターおよび第２液晶シャッターを備える一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
反射器に向けて暗号化された同期信号を投射するステップと、
前記反射器から前記暗号化された同期信号を反射させるステップと、
前記同期信号を検出するステップと、
検出された暗号化同期信号を解読するステップと、
前記第１液晶シャッターまたは前記第２液晶シャッターをいつ開にするかを決定するために前記検出された同期信号を使用するステップとを備え、
前記同期信号は、赤外光を含み、
前記同期信号は、一連のパルスおよびコンフィギュレーションデータを含み、第１の所定の数のパルスが前記第１液晶シャッターを開にし、
第２の所定の数のパルスが前記第２液晶シャッターを開にし、
前記同期信号は、少なくとも１つのデータビットと、このデータビットに先行する少なくとも１つのクロックパルスとを備え、
前記同期信号は、同期シリアルデータ信号を備え、
前記第１液晶シャッターに対する画像の表示と前記第２液晶シャッターに対する画像の表示との間で、前記同期信号を検出する、３次元ビデオ画像を提供するための方法。
【請求項２５】
第１液晶シャッターを有する第１レンズおよび第２液晶シャッターを有する第２レンズを備える一対の眼鏡を備え、前記液晶シャッターは、液晶を有すると共に１ミリ秒未満の開時間を有し、
前記第１液晶シャッターと前記第２液晶シャッターとを交互に開にする制御回路を備え、
前記制御回路が前記液晶シャッターを閉じるまで前記液晶シャッターのうちの少なくとも１つの配向は、最大光透過量のポイントに保持され、
信号送信機、信号受信機およびビューアーが見ることのできるレートで前記第１および第２液晶シャッターを開閉するようになっているテストシステム制御回路を含むテストシステムを更に備える三次元ビデオ画像を提供するためのシステム。
【請求項２６】
第１液晶シャッターおよび第２液晶シャッターを備える一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
前記三次元ビュー眼鏡に向けてテスト信号を送信するステップと、
前記三次元眼鏡上のセンサにより前記テスト信号を受信するステップと、
前記受信したテスト信号の結果として、前記第１および第２液晶シャッターを開閉するための制御回路を使用するステップとを備え、前記液晶は、眼鏡を付けているビューワーに観察できるレートで開閉する、３次元ビデオ画像を提供するための方法。
【請求項２７】
第１液晶シャッターおよび第２液晶シャッターを備える一対の三次元ビュー眼鏡を使用して３次元ビデオ画像を提供するための、マシンで読み取り可能なメディアにインストールされたコンピュータプログラムであって、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、前記ビューアーの第２の眼に対する画像の表示に対応し、
前記三次元ビュー眼鏡に向けてテスト信号を送信するステップと、
前記三次元眼鏡上のセンサにより前記テスト信号を受信するステップと、
前記受信したテスト信号の結果として、前記第１および第２液晶シャッターを開閉するための制御回路を使用するステップとを備える、３次元ビデオ画像を提供するためのコンピュータプログラム。
【請求項２８】
第１液晶シャッターおよび第２液晶シャッターを備える一対の三次元ビュー眼鏡を設けるための手段と、
１ミリ秒未満で前記第１液晶シャッターを開にするための手段と、
第１時間の間、最大光透過量のポイントに前記第１液晶シャッターを保持するための手段と、
前記第１液晶シャッターを閉にし、１ミリ秒未満で前記第２液晶シャッターを開にするための手段と、
第２時間の間、最大光透過量のポイントに前記第２液晶シャッターを保持するための手段とを備え、
前記第１時間は、ビューアーの第１の眼に対する画像の表示に対応し、前記第２時間は、前記ビューアーの第２の眼に対する画像の表示に対応し、
前記三次元ビュー眼鏡に向けてテスト信号を送信するための手段と、
前記三次元眼鏡上のセンサにより前記テスト信号を受信するための手段と、
前記受信したテスト信号の結果として、前記第１および第２液晶シャッターを開閉するための制御回路を使用するための手段とを備え、前記液晶は、眼鏡を付けているビューワーに観察できるレートで開閉する、３次元ビデオ画像を提供するためのシステム。
【請求項２９】
第１液晶シャッターおよび第２液晶シャッターを備える一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするためのステップと、
第２時間の間、最大光透過量のポイントに前記第２液晶シャッターを保持するためのステップと、
前記第１時間は、ビューアーの第１の眼に対する画像の表示に対応し、前記第２時間は、前記ビューアーの第２の眼に対する画像の表示に対応し、
前記三次元ビュー眼鏡に向けて赤外線テスト信号を送信するためのステップと、
前記三次元眼鏡上のセンサにより前記赤外線テスト信号を受信するためのステップと、
前記受信した赤外線テスト信号の結果として、前記第１および第２液晶シャッターを開閉するための制御回路を使用するための手段とを備え、前記液晶は、眼鏡を付けているビューワーに観察できるレートで開閉し、
前記信号送信機は、プロジェクタからのタイミング信号を受信せず、
前記赤外線信号は、一連のパルスを含み、
前記赤外線信号は、１つ以上のデータビットと、前記データビットの各々に先行する少なくとも１つのクロックパルスを含み、
前記赤外線信号は、同期シリアルデータ信号を含む、３次元ビデオ画像を提供するためのシステム。
【請求項３０】
第１液晶シャッターを有する第１レンズおよび第２液晶シャッターを有する第２レンズを備える一対の眼鏡を備え、前記液晶シャッターの各々は、液晶を有すると共に、１ミリ秒未満の開時間を有し、
前記第１液晶シャッターと前記第２液晶シャッターとを交互に開にする制御回路を備え、
前記制御回路がシャッターを閉じるまで、前記液晶の配向は最大光透過量のポイントに保持され、
更に前記制御回路に作動的に結合された信号受信機を備え、前記制御回路は、
所定の第１時間インターバルで信号受信機を附勢し、
前記信号受信機が有効な信号を受信しているかどうかを判断し、
前記信号受信機が所定の第２の時間インターバル内に有効信号を受信しない場合に前記信号受信機を除勢し、
前記信号受信機が有効信号を受信しない場合に、前記有効信号に対応するインターバルで前記第１シャッターと第２シャッターとを交互に開閉するようになっている、三次元ビデオ画像を提供するためのシステム。
【請求項３１】
第１液晶シャッターおよび第２液晶シャッターを含む一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、ビューアーの第２の眼に対する画像の表示に対応し、
所定の第１時間インターバルで信号受信機を附勢するステップと、
前記受信機が信号送信機からの有効信号を受信しているかどうかを判断するステップと、
前記信号受信機が第２時間内に前記信号送信機からの有効信号を受信しない場合に、前記信号受信機を除勢するステップと、
前記信号受信機が前記信号送信機からの有効信号を受信した場合に、前記有効信号に対応するインターバルで前記第１および第２シャッターを開閉するステップとを備える、三次元ビデオ画像を提供するための方法。
【請求項３２】
第１液晶シャッターを有する第１レンズおよび第２液晶シャッターを有する第２レンズを含む一対の眼鏡を備え、前記液晶シャッターは、液晶を有すると共に１ミリ秒時間未満の開時間を有し、
前記第１液晶シャッターと前記第２液晶シャッターとを交互に開にできる制御回路を備え、
前記制御回路がシャッターを閉にするまで、最大光透過量のポイントに液晶の配向を保持し、
前記制御回路は、前記第１液晶シャッターおよび前記第２液晶シャッターの双方を開状態に保持するようになっている、三次元ビデオ画像を提供するためのシステム。
【請求項３３】
第１液晶シャッターおよび第２液晶シャッターを含む一対の三次元ビュー眼鏡を設けるステップを備え、
前記第１液晶シャッターは、１ミリ秒未満で開となることができ、
前記第２液晶シャッターは、１ミリ秒未満で開となることができ、
前記第１および第２液晶シャッターがユーザーに透明なレンズと見えるようにするレートで、前記第１および第２液晶シャッターを開閉するステップとを備える、三次元ビデオ画像を提供するためのシステム。
【請求項３４】
第１液晶シャッターおよび第２液晶シャッターを含む３Ｄ眼鏡のユーザーに３次元ビデオ画像を提供するための、マシンで読み取り可能なメディアにインストールされたコンピュータプログラムであって、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、ビューアーの第２の眼に対する画像の表示に対応し、
所定の第１時間インターバルで信号受信機を附勢するステップと、
前記受信機が信号送信機からの有効信号を受信しているかどうかを判断するステップと、
前記信号受信機が第２時間内に前記信号送信機からの有効信号を受信しない場合に、前記信号受信機を除勢するステップと、
前記信号受信機が前記信号送信機からの有効信号を受信した場合に、前記有効信号に対応するインターバルで前記第１および第２シャッターを開閉するステップとを備える、コンピュータプログラム。
【請求項３５】
第１液晶シャッターおよび第２液晶シャッターを含む３Ｄ眼鏡のユーザーに対し３次元ビデオ画像を提供するための、マシンで読み取り可能なメディアにインストールされたコンピュータプログラムであって、
前記第１液晶シャッターは、１ミリ秒未満で開となることができ、
前記第２液晶シャッターは、１ミリ秒未満で開となることができ、
前記第１および第２液晶シャッターがユーザーに透明なレンズと見えるようにするレートで、前記第１および第２液晶シャッターを開閉するステップとを備える、コンピュータプログラム。
【請求項３６】
第１液晶シャッターおよび第２液晶シャッターを含む一対の三次元ビュー眼鏡を設けるための手段と、
１ミリ秒未満で前記第１液晶シャッターを開にするための手段と、
第１時間の間、最大光透過量のポイントに前記第１液晶シャッターを保持するための手段と、
前記第１液晶シャッターを閉にし、１ミリ秒未満で前記第２液晶シャッターを開にするための手段と、
第２時間の間、最大光透過量のポイントに前記第２液晶シャッターを保持するための手段とを備え、
前記第１時間は、ビューアーの第１の眼に対する画像の表示に対応し、前記第２時間は、ビューアーの第２の眼に対する画像の表示に対応し、
所定の第１時間インターバルで信号受信機を附勢するための手段と、
前記受信機が信号送信機からの有効信号を受信しているかどうかを判断するための手段と、
前記信号受信機が第２時間内に前記信号送信機からの有効信号を受信しない場合に、前記信号受信機を除勢するための手段と、
前記信号受信機が前記信号送信機からの有効信号を受信した場合に、前記有効信号に対応するインターバルで前記第１および第２シャッターを開閉するための手段とを備える、三次元ビデオ画像を提供するためのシステム。
【請求項３７】
第１液晶シャッターを有する第１レンズおよび第２液晶シャッターを有する第２レンズを含む一対の眼鏡を備え、前記液晶シャッターは、液晶を有すると共に１ミリ秒時間未満の開時間を有し、
前記第１液晶シャッターと前記第２液晶シャッターとを交互に開にする制御回路を備え、
前記制御回路がシャッターを閉にするまで、最大光透過量のポイントに液晶の配向を保持し、
前記制御回路は、所定時間の間眼鏡の電源がオンとなった後に前記第１液晶シャッターおよび前記第２液晶シャッターを開閉する、三次元ビデオ画像を提供するためのシステム。
【請求項３８】
第１液晶シャッターおよび第２液晶シャッターを含む一対の三次元ビュー眼鏡を設けるステップと、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、ビューアーの第２の眼に対する画像の表示に対応し、
前記眼鏡の電源をオンにするステップと、
前記眼鏡の電源をオンにしてから所定の時間の間、前記第１および第２液晶シャッターを開閉するステップとを備える、三次元ビデオ画像を提供するための方法。
【請求項３９】
第１液晶シャッターおよび第２液晶シャッターを含む３Ｄ眼鏡のユーザーに対し３次元ビデオ画像を提供するための、マシンで読み取り可能なメディアにインストールされたコンピュータプログラムであって、
１ミリ秒未満で前記第１液晶シャッターを開にするステップと、
第１時間の間、最大光透過量のポイントに前記第１液晶シャッターを保持するステップと、
前記第１液晶シャッターを閉にし、１ミリ秒未満で前記第２液晶シャッターを開にするステップと、
第２時間の間、最大光透過量のポイントに前記第２液晶シャッターを保持するステップとを備え、
前記第１時間は、ビューアーの第１の眼に対する画像の表示に対応し、前記第２時間は、ビューアーの第２の眼に対する画像の表示に対応し、
前記眼鏡の電源をオンにするステップと、
前記眼鏡の電源をオンにしてから所定の時間の間、前記第１および第２液晶シャッターを開閉するステップとを備える、コンピュータプログラム。
【請求項４０】
第１液晶シャッターおよび第２液晶シャッターを含む一対の３次元ビュー眼鏡を設けるための手段を備え、
前記第１液晶シャッターは、１ミリ秒未満で開となることができ、
前記第２液晶シャッターは、１ミリ秒未満で開となることができ、
所定時間の間、前記眼鏡への給電を増加した後に前記第１および第２液晶シャッターを開閉するための手段を更に備える、３次元ビデオ画像を提供するためのシステム。
【請求項４１】
第１液晶シャッターおよび第２液晶シャッターを含む一対の三次元ビュー眼鏡を設けるための手段と、
１ミリ秒未満で前記第１液晶シャッターを開にするための手段と、
第１時間の間、最大光透過量のポイントに前記第１液晶シャッターを保持するための手段と、
前記第１液晶シャッターを閉にし、１ミリ秒未満で前記第２液晶シャッターを開にするための手段と、
第２時間の間、最大光透過量のポイントに前記第２液晶シャッターを保持するための手段とを備え、
前記第１時間は、ビューアーの第１の眼に対する画像の表示に対応し、前記第２時間は、ビューアーの第２の眼に対する画像の表示に対応し、
所定の時間の間、前記第１および第２液晶シャッターの給電を増加したあとに、前記第１および第２液晶シャッターを開閉するための手段とを備える、三次元ビデオ画像を提供するためのシステム。
【請求項４２】
左右ビューシャッターを受けるための左右レンズ開口部を構成するフレームフロントと、
３Ｄ眼鏡のユーザーの頭部に装着するための、前記フレームフロントに結合され、前記フレーム前方部から延びる左右のつるとを備え、
前記左右のつるの各々は、蛇行した形状となっている、左右ビューシャッターを有する３Ｄ眼鏡のためのフレーム。
【請求項４３】
左右ビューシャッターを受けるための左右レンズ開口部を構成するフレームと、
左右ビューシャッターの作動を制御するための中央コントローラと、
前記コントローラの少なくとも一部へアクセスするための開口部を構成する、前記中央コントローラを収納するよう、前記フレームに結合されたハウジングと、
前記ハウジング内の開口部内に支持され、この開口部にシール状態で係合するカバーとを備える、左右ビューシャッターを有する３Ｄ眼鏡。
【請求項４４】
ユーザーに付けるための左右ビュー要素を支持するためのフレームを設けるステップと、
３Ｄ眼鏡用コントローラを収納するためのハウジングを前記フレーム内に設けるステップと、
前記ハウジングにシール状態で係合するためのシール要素を有する取り外し自在なカバーを使って、前記フレーム内に前記ハウジングをシールするステップとを備える、左右ビュー要素を有する３Ｄ眼鏡のためのコントローラを収納するための方法。
【請求項４５】
電源と、
前記電源に作動的に結合された第１および第２液晶シャッターと、
前記電源および前記液晶シャッターに作動的に結合された制御回路とを備え、この制御回路は、
第１時間の間、前記第１液晶シャッターを開にし、
第２時間の間、前記第１液晶シャッターを閉にし、
前記第２時間の間、前記第２液晶シャッターを開にし、
前記第１時間の間、前記第２液晶シャッターを閉にし、
前記第１時間および前記第２時間のうちの少なくとも一方の一部の間で前記第１液晶シャッターと前記第２液晶シャッターとの間で電荷を転送するようになっており、
前記第１時間は、３Ｄユーザーの第１の眼に対する画像の表示に対応し、前記第２時間は、前記ユーザーの第２の眼に対する画像の表示に対応する、３Ｄ眼鏡のユーザーに対して三次元ビデオ画像を提供するためのシステム。
【請求項４６】
第１液晶シャッターを有する第１レンズおよび第２液晶シャッターを有する第２レンズを含む一対の眼鏡を備え、前記液晶シャッターの各々は、液晶を有し、
前記第１液晶シャッターと前記第２液晶シャッターとを交互に開にし、前記液晶シャッターの間で電荷を転送する制御回路を備える、三次元ビデオ画像を提供するためのシステム。
【請求項４７】
前記第１液晶シャッターを閉にすると共に、前記第２液晶シャッターを開にするステップと、
次に前記第２液晶シャッターを閉にすると共に、前記第１液晶シャッターを開にするステップと、
前記第１液晶シャッターと前記第２液晶シャッターとの間で電荷を転送するステップとを備える、前記第１および第２液晶シャッターを使って三次元ビデオ画像を提供するための方法。
【請求項４８】
第１液晶シャッターおよび第２液晶シャッターを含む３Ｄ眼鏡のユーザーに対し３次元ビデオ画像を提供するための、マシンで読み取り可能なメディアにインストールされたコンピュータプログラムであって、
前記第１液晶シャッターを閉にすると共に、前記第２液晶シャッターを開にするステップと、
次に前記第２液晶シャッターを閉にすると共に、前記第１液晶シャッターを開にするステップと、
前記第１液晶シャッターと前記第２液晶シャッターとの間で電荷を転送するステップとを備える、マシンで読み取り可能なメディアにインストールされたコンピュータプログラム。
【請求項４９】
前記第１液晶シャッターを閉にすると共に、前記第２液晶シャッターを開にするための手段と、
次に前記第２液晶シャッターを閉にすると共に、前記第１液晶シャッターを開にするための手段と、
前記第１液晶シャッターと前記第２液晶シャッターとの間で電荷を転送するための手段とを備える、前記第１および第２液晶シャッターを使って三次元ビデオ画像を提供するためのシステム。
【請求項５０】
左右液晶シャッターに作動的に結合されたコントローラと、
前記コントローラに作動的に結合されたバッテリーと、
前記コントローラに作動的に結合された電荷ポンプとを備え、
前記コントローラは前記左または右の液晶シャッターのいずれかの作動状態を変えるときに、左液晶シャッターと右液晶シャッターとの間で電荷を転送するようになっており、
前記電荷ポンプは、前記コントローラが左または右の液晶シャッターのいずれかの作動状態を変更するときに電位を累積するようになっている、左右液晶シャッターを含む３Ｄ眼鏡に電力を供給するためのシステム。
【請求項５１】
左または右液晶シャッターのいずれかの作動状態を変えるときに、前記左液晶シャッターと前記右液晶シャッターとの間で電荷を転送するステップと、
前記左または右液晶シャッターのいずれかの作動状態を変更する際に電位を累積するステップとを備える、左右液晶シャッターを含む３Ｄ眼鏡に電力を供給する方法。
【請求項５２】
第１液晶シャッターおよび第２液晶シャッターを含む３Ｄ眼鏡に電力を供給するための、マシンで読み取り可能なメディアに記憶されたコンピュータプログラムであって、
左または右液晶シャッターのいずれかの作動状態を変えるときに、前記左液晶シャッターと前記右液晶シャッターとの間で電荷を転送するステップと、
前記左または右液晶シャッターのいずれかの作動状態を変更する際に電位を累積するステップとを備える、マシンで読み取り可能なメディアに記憶されたコンピュータプログラム。
【請求項５３】
左または右液晶シャッターのいずれかの作動状態を変えるときに、前記左液晶シャッターと前記右液晶シャッターとの間で電荷を転送するための手段と、
前記左または右液晶シャッターのいずれかの作動状態を変更する際に電位を累積するための手段とを備える、第１液晶シャッターおよび第２液晶シャッターを含む３Ｄ眼鏡に電力を供給するためのシステム。
【請求項５４】
信号送信機からの信号を受信し、３Ｄ眼鏡を作動させるためのコントローラにデコードされた信号を送るよう、３Ｄ眼鏡で使用するための信号センサであって、
前記信号送信機から受信した信号をフィルタするためのバンドパスフィルタと、
前記バンドパスフィルタに作動的に結合され、前記フィルタされた信号をデコードし、デコードされた信号を前記３Ｄ眼鏡の前記コントローラに提供するためのデコーダとを備える信号センサ。
【請求項５５】
信号送信機から受信した信号をフィルタするためのバンドパスフィルタと、
前記バンドパスフィルタに作動的に結合され、前記フィルタされた信号をデコードするためのデコーダと、
前記デコーダに作動的に結合され、前記デコードされた信号を受信するためのコントローラと、
前記コントローラに作動的に結合され、前記デコードされた信号に応じて前記コントローラによって制御される左右の光学的シャッターとを備える３Ｄ眼鏡。
【請求項５６】
３Ｄ眼鏡に同期シリアルデータ信号を送信するステップを備える、３Ｄ眼鏡にデータ信号を送信する方法。
【請求項５７】
３Ｄ眼鏡に同期シリアルデータ信号を送信するステップと、
前記データ信号内に符号化されたデータに応じて、左右の光学的シャッターの作動を制御するステップとを備える、左右の光学的シャッターを有する３Ｄ眼鏡を作動させる方法。
【請求項５８】
３Ｄ眼鏡に同期シリアルデータ信号を送信するステップを備える、３Ｄ眼鏡にデータ信号を送信するための有形のメディアに記憶されたコンピュータプログラム。
【請求項５９】
３Ｄ眼鏡に同期シリアルデータ信号を送信するステップと、
前記データ信号内に符号化されたデータに応じて、左右の光学的シャッターの作動を制御するステップとを備える、左右の光学的シャッターを有する３Ｄ眼鏡を作動させるための有形のメディアに記憶されたコンピュータプログラム。
【請求項６０】
一対の三次元ビュー眼鏡内の１つ以上の光学的シャッターを作動させるための同期信号であって、この同期信号は、マシンで読み取り可能なメディア内に記憶されており、
前記対の三次元ビューメディア内の光学的シャッターのうちの１つ以上の作動を制御するための１つ以上のデータビットと、
前記データビットの各々に先行する１つ以上のクロックパルスとを備える、同期信号。